(57)【要約】  【課題】  使用者を検知するセンサを取り付ける際の調節等のような煩雑な設置作業を必要とせず、使用者に番組の一部を見逃すことなく観賞させることができる番組再生装置を提供する。  【解決手段】  蓄積手段１１に蓄積された番組のデータに基づいて番組を再生する映像コンテンツ再生手段１２と、車両のエンジンが停止したときに番組が映像コンテンツ再生手段１２によって再生されている場合には、再生されている番組のデータの再生位置を保持し、再生位置を保持した後にエンジンが始動した場合には、保持した再生位置より所定時間分前の位置から番組が再生されるように映像コンテンツ再生手段１２を制御する制御手段１６とを備える。【選択図】  図１
2006134478.tif 000002
【特許請求の範囲】
【請求項１】
記録媒体に記録された番組のデータに基づいて前記番組を再生する番組再生手段と、
車両のエンジンが停止したときに前記番組が前記番組再生手段によって再生されている場合には、再生されている前記番組のデータの再生位置を保持し、前記再生位置を保持した後に前記エンジンが始動した場合には、保持した再生位置より所定時間分前の位置から前記番組が再生されるように前記番組再生手段を制御する制御手段とを備えたことを特徴とする番組再生装置。
【請求項２】
前記制御手段は、前記エンジンが停止している状態で車載機器に電源の供給を行うアクセサリー電源がオフとなったときに前記番組が前記番組再生手段によって再生されている場合には、再生されている前記番組のデータの再生位置を保持し、前記再生位置を保持した後に前記アクセサリー電源がオンとなった場合には、保持した再生位置より所定時間分前の位置から前記番組が再生されるように前記番組再生手段を制御することを特徴とする請求項１に記載の番組再生装置。
【請求項３】
前記所定時間は、使用者の入力により任意に設定可能であることを特徴とする請求項１または請求項２に記載の番組再生装置。
【請求項４】
前記車両の後席位置に設置され、前記番組を再生するオン状態および前記番組の再生を停止するオフ状態の何れか一方の状態に前記番組再生手段を切り替える後席スイッチを備え、
前記制御手段は、前記番組再生手段が前記後席スイッチによってオフ状態に切り替えられた後に前記番組再生手段が前記後席スイッチによってオン状態に切り替えられた場合には、前記番組再生手段がオフ状態に切り替えられたときの再生位置から前記番組が再生されるように前記番組再生手段を制御することを特徴とする請求項１乃至請求項３の何れかに記載の番組再生装置。
【請求項５】
請求項１乃至請求項４の何れかに記載の番組再生装置を備えた車両。
【請求項６】
記録媒体に記録された番組のデータに基づいて前記番組を再生する番組再生手段を有した番組再生装置を制御する番組再生方法において、
車両のエンジンが停止したときに前記番組が前記番組再生手段によって再生されている場合には、再生されている前記番組のデータの再生位置を保持する再生位置保持ステップと、
再生位置保持ステップで再生位置が保持された後にエンジンが始動した場合には、保持された再生位置より所定時間分前の位置から前記番組が再生されるように前記番組再生手段を制御する制御ステップとを有することを特徴とする番組再生方法。
【発明の詳細な説明】
【技術分野】
【０００１】
本発明は、車載用後席エンターテインメントシステム（Rear Seat Entertainment System，ＲＳＥシステムともいう）等に利用され、番組を乗員に提供する番組再生装置に関する。
【背景技術】
【０００２】
従来の再生装置としては、図５に示すように、記録媒体５１に記録された番組を表す音声信号を再生する再生手段５２と、音声信号に基づいて音声を出力する音声出力手段５３と、音声の聴取エリアに使用者がいるか否かを検知する検知手段５４と、制御手段５５を備え、制御手段５５は、使用者が聴取エリアから外れたことが検知手段５４によって検知されたときに、再生手段５２による音声信号の再生を一時停止して、使用者が聴取エリアに再び戻ったことが検知手段５４によって検知されたときに、再生手段５２による音声信号の再生を一定時間分戻した位置から再開することにより、使用者に番組の一部を逃すことなく観賞させるものがある。
【特許文献１】特開２００１−８４６６２号公報
【発明の開示】
【発明が解決しようとする課題】
【０００３】
しかしながら、従来の再生装置では、使用者が聴取エリアにいるか否かを検知する赤外線センサ等の検知手段５４を備える必要があるため、検知手段５４を車両に取り付ける際の調節等のような煩雑な設置作業が必要になるという問題があった。
【０００４】
本発明は、従来の問題を解決するためになされたもので、使用者を検知するセンサを取り付ける際の調節等のような煩雑な設置作業を必要とせず、使用者に番組の一部を見逃すことなく観賞させることができる番組再生装置を提供することを目的とする。
【課題を解決するための手段】
【０００５】
本発明の番組再生装置は、記録媒体に記録された番組のデータに基づいて前記番組を再生する番組再生手段と、車両のエンジンが停止したときに前記番組が前記番組再生手段によって再生されている場合には、再生されている前記番組のデータの再生位置を保持し、前記再生位置を保持した後に前記エンジンが始動した場合には、保持した再生位置より所定時間分前の位置から前記番組が再生されるように前記番組再生手段を制御する制御手段とを備えた構成を有している。
【０００６】
この構成により、エンジンの始動および停止に応じて番組の再生を制御手段で制御するため、使用者を検知するセンサを取り付ける際の調節等のような煩雑な設置作業を必要とせず、使用者に番組の一部を見逃すことなく観賞させることができる。
【０００７】
さらに、前記制御手段は、前記エンジンが停止している状態で車載機器に電源の供給を行うアクセサリー電源がオフとなったときに前記番組が前記番組再生手段によって再生されている場合には、再生されている前記番組のデータの再生位置を保持し、前記再生位置を保持した後に前記アクセサリー電源がオンとなった場合には、保持した再生位置より所定時間分前の位置から前記番組が再生されるように前記番組再生手段を制御するような構成を有している。
【０００８】
この構成により、アクセサリー電源のオンおよびオフに応じて番組の再生を制御手段で制御するため、使用者を検知するセンサを取り付ける際の調節等のような煩雑な設置作業を必要とせず、使用者に番組の一部を見逃すことなく観賞させることができる。
【０００９】
また、本発明の番組再生装置は、前記所定時間を使用者の入力により任意に設定できるような構成を有している。
【００１０】
この構成により、使用者の嗜好に合わせて任意の所定時間に設定を行うことができる。
【００１１】
また、本発明の番組再生装置は、前記車両の後席位置に設置され、前記番組を再生するオン状態および前記番組の再生を停止するオフ状態の何れか一方の状態に前記番組再生手段を切り替える後席スイッチを備え、前記制御手段は、前記番組再生手段が前記後席スイッチによってオフ状態に切り替えられた後に前記番組再生手段が前記後席スイッチによってオン状態に切り替えられた場合には、前記番組再生手段がオフ状態に切り替えられたときの再生位置から前記番組が再生されるように前記番組再生手段を制御するような構成を有している。
【００１２】
この構成により、番組再生手段がオフ状態からオン状態に切り替えられたときに、オフ状態およびオン状態に切り替えられたのが後席乗員によるものである場合には、オフ状態に切り替えられたときの再生位置から再生させることができる。
【００１３】
また、本発明の車両は、番組再生装置を備えている。
【００１４】
本発明の番組再生方法は、記録媒体に記録された番組のデータに基づいて前記番組を再生する番組再生手段を有した番組再生装置を制御する番組再生方法において、車両のエンジンが停止したときに前記番組が前記番組再生手段によって再生されている場合には、再生されている前記番組のデータの再生位置を保持する再生位置保持ステップと、再生位置保持ステップで再生位置が保持された後にエンジンが始動した場合には、保持された再生位置より所定時間分前の位置から前記番組が再生されるように前記番組再生手段を制御する制御ステップとを有している。
【００１５】
この方法により、エンジンの始動および停止に応じて番組の再生を制御するため、使用者を検知するセンサを取り付ける際の調節等のような煩雑な設置作業を必要とせず、使用者に番組の一部を見逃すことなく観賞させることができる。
【発明の効果】
【００１６】
本発明は、使用者を検知するセンサを取り付ける際の調節等のような煩雑な設置作業を必要とせず、使用者に番組の一部を見逃すことなく観賞させることができる番組再生装置を提供するものである。
【発明を実施するための最良の形態】
【００１７】
以下、本発明の実施の形態の番組再生装置について、図面を参照して説明する。
【００１８】
（第１の実施の形態）
本発明の第１の実施の形態の番組再生装置を図１に示す。
【００１９】
図１に示すように、番組再生装置１は、映像コンテンツの映像を表す映像信号、音響を表す音響信号、およびこれらに付随する情報が蓄積された蓄積手段１１と、蓄積手段１１に蓄積された映像信号および音響信号を出力して映像コンテンツを再生する映像コンテンツ再生手段１２と、車両のエンジンの始動および停止を検知する検知手段１３と、映像コンテンツの再生時に用いるパラメータ等の設定情報が乗員によって設定される設定手段１４と、検知手段１３による検知結果を表す車両情報および設定手段１４に設定される設定情報が入力される入力手段１５と、入力手段１５に入力された車両情報および設定情報に基づいて映像コンテンツ再生手段１２を制御する制御手段１６とを有して構成されている。
【００２０】
蓄積手段１１は、ハードディスクドライブ、光ディスク等の記憶媒体で構成されている。
【００２１】
映像コンテンツ再生手段１２は、蓄積手段１１に蓄積された映像信号および音響信号を乗員に提供する形式の映像信号および音声信号に変換して出力するようになっている。なお、乗員に提供する形式として、コンポジット映像出力の形式等がある。
【００２２】
制御手段１６は、蓄積手段１１に蓄積された映像信号および音響信号の映像コンテンツ再生手段１２による読み出しを制御することにより、映像コンテンツの任意の再生位置から再生を開始させるようになっている。
【００２３】
以上のように構成された番組再生装置１について、図２を用いてその動作を説明する。
【００２４】
まず、検知手段１３によってエンジンの停止が検知され（ステップＳ２１）、映像コンテンツ再生手段１２によって映像コンテンツが再生されている場合（ステップＳ２２）には、再生されている映像コンテンツの再生位置が制御手段１６によって保持され（ステップＳ２３）、映像コンテンツの再生が停止される。映像コンテンツが再生されていない場合には、番組再生装置１の動作が終了する。
【００２５】
次に、検知手段１３によってエンジンの始動が検知されると（ステップＳ２４）、保持された再生位置より所定時間分前の位置から映像コンテンツが映像コンテンツ再生手段１２によって再生される（ステップＳ２５）。ここで、所定時間は、予め不揮発性メモリ等の記憶媒体に保持されている。
【００２６】
このような本発明の第１の実施の形態に係る番組再生装置１によれば、エンジンの始動および停止に基づいて映像コンテンツの再生を制御する制御手段１６を設けることにより、乗員を検知するセンサを取り付ける際の調節等のような煩雑な設置作業を必要とせず、乗員に映像コンテンツの一部を見逃すことなく観賞させることができる。
【００２７】
なお、検知手段１３は、車両のエンジンが停止している状態において車載機器に電源の供給を行うアクセサリー電源のオンまたはオフを検知するようにしてもよい。この場合、映像コンテンツ再生手段１２による映像コンテンツの再生中にアクセサリー電源のオフが検知手段１３によって検知され、その後にアクセサリー電源のオンが検知手段１３によって検知されると、アクセサリー電源のオフが検知手段１３によって検知されたときに再生されていた映像コンテンツの再生位置より所定時間分だけ戻した位置から映像コンテンツが映像コンテンツ再生手段１２によって再生されるように構成されている。
【００２８】
このように構成することにより、制御手段１６がアクセサリー電源のオンおよびオフに基づいて映像コンテンツの再生を制御することができる。
【００２９】
また、設定手段１４は、前述した所定時間が乗員によって設定されるようにしてもよい。
【００３０】
また、番組再生装置１は、前席乗員に利用させるようにしてもよい。
【００３１】
さらに、検知手段１３によってエンジンの停止が検知された後にエンジンの始動が検知された場合、エンジンの停止が検知されたときに再生されていた映像コンテンツの再生位置より再生を再開するか、この再生位置から所定時間分だけ戻した再生位置より再生を再開するかを乗員に選択できるように、車両に搭載された液晶またはＣＲＴディスプレイ等の表示装置にメニュー画面を表示させるようにしてもよい。
【００３２】
（第２の実施の形態）
次に、本発明の第２の実施の形態の番組再生装置を図３に示す。
【００３３】
なお、本発明の第２の実施の形態に係る番組再生装置を構成する構成要素のうち、本発明の第１の実施の形態に係る番組再生装置を構成する構成要素と同一の構成要素には同一の符号を付し、それぞれの説明を省略する。
【００３４】
図３に示すように、番組再生装置３は、蓄積手段１１と、映像コンテンツ再生手段１２と、検知手段１３と、設定手段１４と、映像コンテンツを再生するオン状態および映像コンテンツの再生を停止するオフ状態の何れか一方の状態に映像コンテンツ再生手段１２を切り替える前席スイッチ３１および後席スイッチ３２と、検知手段１３による検知結果を表す車両情報、設定手段１４に設定される設定情報、前席スイッチ３１の状態を表す前席スイッチ情報、および後席スイッチ３２の状態を表す後席スイッチ情報が入力される入力手段３３と、入力手段３３に入力された車両情報、設定情報、前席スイッチ情報、および後席スイッチ情報に基づいて映像コンテンツ再生手段１２を制御する制御手段３４とを有して構成されている。
【００３５】
以上のように構成された番組再生装置３について、図４を用いてその動作を説明する。
【００３６】
まず、映像コンテンツ再生手段１２が後席スイッチ３２によってオフ状態に切り替えられると（ステップＳ４１）、再生されている映像コンテンツの再生位置が制御手段３４によって保持され（ステップＳ４２）、映像コンテンツの再生が停止される。
【００３７】
次に、映像コンテンツ再生手段１２が前席スイッチ３１または後席スイッチ３２によってオン状態に切り替えられると（ステップＳ４３）、映像コンテンツ再生手段１２が後席スイッチ３２によってオン状態に切り替えられたか否かが制御手段３４によって判定される（ステップＳ４４）。制御手段３４によって、映像コンテンツ再生手段１２が後席スイッチ３２によってオン状態に切り替えられたと判定された場合には、映像コンテンツ再生手段１２がオフ状態に切り替えられたときに保持された映像コンテンツの再生位置から映像コンテンツ再生手段１２によって再生される（ステップＳ４５）。一方、制御手段３４によって、映像コンテンツ再生手段１２が後席スイッチ３２によってオン状態に切り替えられなかったと判定された場合には、車両に搭載された表示装置にメニュー画面を表示させ（ステップＳ４６）、次に観賞する映像コンテンツを後席乗員に選択させる。
【００３８】
以上のように本発明の第２の実施の形態の番組再生装置によれば、番組再生手段１２がオフ状態からオン状態に切り替えられたときに、オフ状態およびオン状態に切り替えられたのが後席乗員によるものである場合には、オフ状態に切り替えられたときの再生位置から再生させることができる。
【００３９】
なお、映像コンテンツに加えて、保持されている再生位置から再生するか、再生位置から所定時間分だけ戻した位置から再生するかを後席乗員が選択できるようなメニュー画面を表示装置に表示させるようにしてもよい。
【００４０】
このように構成にすることにより、後席乗員の選択肢が増えるため、後席乗員の嗜好に近い状態での映像コンテンツの再生を開始させることができる。
【産業上の利用可能性】
【００４１】
以上のように、本発明にかかる番組再生装置は、使用者を検知するセンサを取り付ける際の調節等のような煩雑な設置作業を必要とせず、使用者に番組の一部を見逃すことなく観賞させることができるという効果を有し、車載用後席エンターテインメントシステム等に利用され、番組を乗員に提供する番組再生装置として有用である。
【図面の簡単な説明】
【００４２】
【図１】本発明の第１の実施の形態における番組再生装置のブロック図
【図２】本発明の第１の実施の形態における番組再生装置の動作説明のためのフロー図
【図３】本発明の第２の実施の形態における番組再生装置のブロック図
【図４】本発明の第２の実施の形態における番組再生装置の動作説明のためのフロー図
【図５】従来の再生装置のブロック図
【符号の説明】
【００４３】
１、３  番組再生装置
１１  蓄積手段
１２  映像コンテンツ再生手段（番組再生手段）
１３  検知手段
１４  設定手段
１５、３３  入力手段
１６、３４、５５  制御手段
３１  前席スイッチ
３２  後席スイッチ
５１  記録媒体
５２  再生手段
５３  音声出力手段
５４  検知手段
【図１】
2006134478.tif 000003
【図２】
2006134478.tif 000004
【図３】
2006134478.tif 000005
【図４】
2006134478.tif 000006
【図５】
2006134478.tif 000007